【手続補正書】
【提出日】平成25年6月26日(2013.6.26)
【手続補正１】
【補正対象書類名】明細書
【補正対象項目名】００１３
【補正方法】変更
【補正の内容】
【００１３】
本発明に係る分光測色装置は、絞りと、被検体からの光束を前記絞りに導く導光光学系と、前記絞りを通過した光束を分光する分光素子と、該分光素子により分光された光束を受光する受光素子と、を有し、前記導光光学系は、前記被写体からの光束を第１断面内において集光しており、前記導光光学系により集光される光束の前記第１断面内での集光位置は、前記第１断面に垂直な方向の位置によって前記導光光学系の出射側の光軸の方向に異なり、前記絞りは、前記導光光学系により集光される光束の前記第１断面内での集光位置のうち、前記光軸の方向において前記導光光学系に最も近い集光位置と前記導光光学系から最も遠い集光位置との間に配置されていることを特徴とする。
【手続補正２】
【補正対象書類名】明細書
【補正対象項目名】００１４
【補正方法】変更
【補正の内容】
【００１４】
本発明に係る分光測色装置のさらなる実施形態においては、前記導光光学系は、前記第１断面に垂直でかつ前記光軸の方向に平行な断面を第２断面内でのパワーよりも、前記第１断面内でのパワーの方が大きいアナモフィックな光学面を有する、ことを特徴とする。
【手続補正３】
【補正対象書類名】明細書
【補正対象項目名】００１５
【補正方法】変更
【補正の内容】
【００１５】
本発明に係る分光測色装置のさらなる実施形態においては、前記アナモフィックな光学面は、前記第１断面内での曲率が前記第１断面に垂直な方向において異なる円錐面であることを特徴とする。
【手続補正４】
【補正対象書類名】明細書
【補正対象項目名】００１６
【補正方法】変更
【補正の内容】
【００１６】
本発明に係る分光測色装置のさらなる実施形態においては、前記導光光学系のアナモフィックな光学面は、前記第１断面内の曲率が前記第１断面に垂直な方向によって一定となるシリンダ面であり、該シリンダ面は、前記第２断面内において前記光軸の方向に対して傾斜して配置されることを特徴とする。
【手続補正５】
【補正対象書類名】明細書
【補正対象項目名】００１７
【補正方法】変更
【補正の内容】
【００１７】
本発明に係る分光測色装置のさらなる実施形態においては、前記光軸の方向において、前記導光光学系に最も近い前記集光位置と前記導光光学系から最も遠い前記集光位置との間の前記光軸方向における距離Ｌ（ｍｍ）は、前記絞りの長手方向の長さをＬＳ（ｍｍ）としたとき、０．５８＜Ｌ／ＬＳ＜１．７３、を満たすことを特徴とする。
【手続補正６】
【補正対象書類名】明細書
【補正対象項目名】００１８
【補正方法】変更
【補正の内容】
【００１８】
本発明に係る分光測色装置のさらなる実施形態においては、前記導光光学系は、前記被検体側から順に、入射屈折面と全反射面と出射屈折面とを有することを特徴とする。
本発明に係る分光測色装置のさらなる実施形態においては、前記入射屈折面と前記全反射面と前記出射屈折面とは一体化されていることを特徴とする。
【手続補正７】
【補正対象書類名】明細書
【補正対象項目名】００１９
【補正方法】変更
【補正の内容】
【００１９】
本発明に係る分光測色装置のさらなる実施形態においては、前記全反射面は、前記第２断面内でのパワーよりも前記第１断面内でのパワーの方が大きいアナモフィックな反射面であることを特徴とする。
【手続補正８】
【補正対象書類名】明細書
【補正対象項目名】００２０
【補正方法】変更
【補正の内容】
【００２０】
本発明に係る分光測色装置のさらなる実施形態においては、前記入射屈折面のパワーが前記出射屈折面のパワーよりも大きいことを特徴とする。
【手続補正９】
【補正対象書類名】明細書
【補正対象項目名】００２１
【補正方法】変更
【補正の内容】
【００２１】
本発明に係る分光測色装置のさらなる実施形態においては、前記入射屈折面の前側焦点位置に配置された被検体の画像の色を検出することを特徴とする。
【手続補正１０】
【補正対象書類名】明細書
【補正対象項目名】００２２
【補正方法】変更
【補正の内容】
【００２２】
本発明に係る分光測色装置のさらなる実施形態においては、前記絞りは、前記絞りの長手方向が前記第１断面に垂直な方向に一致するように配置されていることを特徴とする。
【手続補正１１】
【補正対象書類名】明細書
【補正対象項目名】００２３
【補正方法】変更
【補正の内容】
【００２３】
本発明に係る分光測色装置のさらなる実施形態においては、前記被検体を照明する照明光学系と、前記受光素子の出力に基づき前記被検体の色度を算出する解析部とを備えることを特徴とする。
【手続補正１２】
【補正対象書類名】明細書
【補正対象項目名】００２４
【補正方法】変更
【補正の内容】
【００２４】
本発明に係るカラー画像形成装置は、画像信号に応じて感光面上に形成される潜像をトナー像として現像する現像器と、前記現像されたトナー像を記録材に定着させる定着器と、前記記録材に形成された画像の色を検出する前記分光測色装置と、を備えることを特徴とする。
本発明に係る画像形成装置のさらなる実施形態においては、前記分光測色装置を有し、前記分光測色装置の検出結果に基づき画像信号を補正する制御手段を備える。
【手続補正１３】
【補正対象書類名】特許請求の範囲
【補正対象項目名】全文
【補正方法】変更
【補正の内容】
【特許請求の範囲】
【請求項１】
絞りと、被検体からの光束を前記絞りに導く導光光学系と、前記絞りを通過した光束を分光する分光素子と、該分光素子により分光された光束を受光する受光素子と、を備える分光測色装置であって、
前記導光光学系は、前記被検体からの光束を第１断面において集光しており、
前記導光光学系により集光される光束の前記第１断面内での集光位置は、前記第１断面に垂直な方向の位置によって前記導光光学系の出射側の光軸の方向に異なり、
前記絞りは、前記導光光学系により集光される光束の前記第１断面内での集光位置のうち、前記光軸の方向において前記導光光学系に最も近い集光位置と前記導光光学系から最も遠い集光位置との間に配置されている
ことを特徴とする分光測色装置。
【請求項２】
前記導光光学系は、前記第１断面に垂直でかつ前記光軸の方向に平行な第２断面内でのパワーよりも、前記第１断面内でのパワーの方が大きいアナモフィックな光学面を有することを特徴とする請求項１に記載の分光測色装置。
【請求項３】
前記アナモフィックな光学面は、前記第１断面内での曲率が前記第１断面に垂直な方向によって異なる円錐面であることを特徴とする請求項２に記載の分光測色装置。
【請求項４】
前記アナモフィックな光学面は、前記第１断面内の曲率が前記第１断面に垂直な方向によって一定となるシリンダ面であり、該シリンダ面は、前記第２断面内において前記光軸の方向に対して傾斜して配置されていることを特徴とする請求項２に記載の分光測色装置。
【請求項５】
前記光軸の方向において前記導光光学系に最も近い前記集光位置と前記導光光学系から最も遠い前記集光位置との間の前記光軸の方向における距離Ｌ（ｍｍ）は、前記絞りの長手方向の長さをＬＳ（ｍｍ）とする時、
０．５８＜Ｌ／ＬＳ＜１．７３
なる条件を満たすことを特徴とする請求項１乃至４のいずれか１項に記載の分光測色装置。
【請求項６】
前記導光光学系は、前記被検体側から順に、入射屈折面と全反射面と出射屈折面とを有することを特徴とする請求項１乃至５のいずれか１項に記載の分光測色装置。
【請求項７】
前記入射屈折面と前記全反射面と前記出射屈折面とは一体化されていることを特徴とする請求項６に記載の分光測色装置。
【請求項８】
前記全反射面は、前記第２断面内でのパワーよりも前記第１断面内でのパワーの方が大きいアナモフィックな反射面であることを特徴とする請求項６又は７に記載の分光測色装置。
【請求項９】
前記入射屈折面のパワーが前記出射屈折面のパワーよりも大きいことを特徴とする請求項６乃至８のいずれか１項に記載の分光測色装置。
【請求項１０】
前記入射屈折面の前側焦点位置に配置された被検体の画像の色を検出することを特徴とする請求項６乃至９のいずれか１項に記載の分光測色装置。
【請求項１１】
前記絞りは、前記絞りの長手方向が前記第１断面に垂直な方向に一致するように配置されていることを特徴とする請求項１乃至１０のいずれか１項に記載の分光測色装置。
【請求項１２】
前記被検体を照明する照明光学系と、前記受光素子の出力に基づき前記被検体の色度を算出する解析部と、を備えることを特徴とする、請求項１乃至１１のいずれか１項に記載の分光測色装置。
【請求項１３】
画像信号に応じて感光面上に形成される潜像をトナー像として現像する現像器と、
前記現像されたトナー像を記録材に定着させる定着器と、
前記記録材に形成された画像の色を検出する請求項１乃至１２のいずれか１項に記載の分光測色装置と、
を備えることを特徴とする画像形成装置。
【請求項１４】
前記分光測色装置の検出結果に基づき前記画像信号を補正する制御手段を有することを特徴とする請求項１３に記載の画像形成装置。